(57)【要約】【課題】便器の固定作業を容易に行うことができる便器固定具、便器の固定方法、及び便器を提供する。【解決手段】便器固定具３０は、便器本体の底部に設けられた下向きの固定面に取り付けられる固定部材２０と、便器本体の所定位置を基準にして、固定面に対しての固定部材の取り付け位置を位置決めする位置決め部材４０と、を備えることを特徴とする。位置決め部材４０は、固定部材２０の固定面の前後方向に対しての位置決めをするための前後位置決め部４１を有することができる。そして、前後位置決め部４１は、固定部材２０の固定面への取り付け時には、固定部材２０の背面側から固定部材２０の高さｈよりも高い位置まで立ち上がり、固定面の後方から立ち上がる内壁面に当接することで前後方向の位置決めを可能とすることができる。【選択図】図５
2018076691.tif 000002
【特許請求の範囲】
【請求項１】
便器本体の底部に設けられた下向きの固定面に取り付けられる固定部材と、
前記便器本体の所定位置を基準にして、前記固定面に対しての前記固定部材の取り付け位置を位置決めする位置決め部材と、
を備えることを特徴とする便器固定具。
【請求項２】
前記位置決め部材は、前記固定部材の前記固定面の前後方向に対しての位置決めをするための前後位置決め部を有しており、
前記前後位置決め部は、前記固定部材の前記固定面への取り付け時には、前記固定部材の背面側から前記固定部材の高さよりも高い位置まで立ち上がり、前記固定面の後方で立ち上がる内壁面に当接することで前後方向の位置決めを可能とすることを特徴とする請求項１記載の便器固定具。
【請求項３】
前記位置決め部材は、前記固定部材の前記固定面の左右方向に対しての位置決めをするための左右位置決め部を有しており、
前記左右位置決め部は、前記固定部材の前記固定面への取り付け時には、前記便器本体の前面の所定位置を基準にして左右方向の位置決めを可能とすることを特徴とする請求項１又は２記載の便器固定具。
【請求項４】
前記固定部材は複数備えられており、前記固定面に取り付けられたときの位置関係と同じ位置関係で前記位置決め部材に保持されていることを特徴とする請求項１乃至３のいずれか一項に記載の便器固定具。
【請求項５】
前記位置決め部材は、前記固定部材の梱包材であることを特徴とする請求項１乃至４のいずれか一項に記載の便器固定具
【請求項６】
便器本体の底部に設けられた下向きの固定面に固定部材を取り付ける第１工程と、
前記便器本体を床の上面又は床側の部材に載置することにより前記固定部材を前記床の上面又は前記床側の部材に接触させて前記便器本体を前記床に対して固定する第２工程と、
を含むことを特徴とする便器の固定方法。
【請求項７】
請求項１乃至５のいずれか一項に記載の便器固定具により、便器本体の底部に設けられた下向きの固定面に前記固定部材を取り付ける第１工程と、
前記便器本体を床の上面又は床側の部材に載置することにより前記固定部材を前記床の上面又は前記床側の部材に接触させて前記便器本体を前記床に対して固定する第２工程と、
を含むことを特徴とする便器の固定方法。
【請求項８】
底部に下向きの固定面が設けられた便器本体と、
上面が前記固定面に取り付けられており、下面を床の上面又は床側の部材に接触させることにより前記便器本体を前記床に対して固定する固定部材と、
を備えることを特徴とする便器。
【請求項９】
前記固定部材は複数設けられており、各前記固定部材は、前記固定面の左右方向に離隔して取り付けられていることを特徴とする請求項８記載の便器。
【請求項１０】
前記固定面は前記便器本体の底部の前端部に設けられ、前記便器本体の周壁部の内側面から後方に延びて形成されることを特徴とする請求項８又は９に記載の便器。
【発明の詳細な説明】
【技術分野】
【０００１】
本発明は便器固定具、便器の固定方法、及び便器に関するものである。
【背景技術】
【０００２】
特許文献１は従来の便器の固定構造について開示している。この便器の固定構造では、便器側固定部材と、床側固定部材と、を用いている。便器側固定部材は、固定ボルトによって便器のスカート部内側に予め固定されている。床側固定部材は、固定ボルトによって予め床に設置されている。そして、便器側固定部材と床側固定部材とを接続するには、軟質粘着剤を床側固定部材に載置し、便器側固定部材がこの上に載置されるように便器を下ろす。これにより、軟質粘着剤が変形して軟質粘着剤層が形成され、便器側固定部材が軟質粘着剤層を介して、床側固定部材に固定ボルトによって固定される。
【先行技術文献】
【特許文献】
【０００３】
【特許文献１】特開２００７−５６４８３号公報
【発明の概要】
【発明が解決しようとする課題】
【０００４】
しかしながら、陶器製の便器は寸法精度のばらつきが比較的大きく、これに取り付けられた便器側固定部材の位置にもばらつきが生じてしまう。このため、床に載置する際、床側固定部材に配置された軟質粘着材に位置を合わせるのは困難であった。また、特許文献１のように、便器載置時には視認困難なスカート部内側に取り付けられた便器側固定部材を、床側固定部材上の軟質粘着剤に正確に位置合わせをするのは一層困難であった。
【０００５】
本発明は、上記従来の実情に鑑みてなされたものであって、便器の固定作業を容易に行うことができる便器固定具、便器の固定方法、及び便器を提供することを解決すべき課題としている。
【課題を解決するための手段】
【０００６】
本発明の便器固定具は、便器本体の底部に設けられた下向きの固定面に取り付けられる固定部材と、
前記便器本体の所定位置を基準にして、前記固定面に対しての前記固定部材の取り付け位置を位置決めする位置決め部材と、
を備えることを特徴とする。
【０００７】
この便器固定具は、固定部材及び位置決め部材を備えている。固定部材は、便器本体の底部に設けられた下向きの固定面に取り付けられる。位置決め部材は、便器本体の所定位置を基準にして、便器本体の固定面に対しての固定部材の取り付け位置を位置決めする。このように、便器固定具は、固定部材を便器本体の固定面に取り付けるに際して、便器本体側に基準位置を設け、これに基づいて、位置決め部材によって位置決めをする。このため、便器本体の固定面と床側に設置された部材上の固定部材とを位置決めする場合と比較して位置合わせが容易であるので、取り付け作業が容易である。また、本発明の便器固定具は、便器本体底部の下向きの固定面という視認困難な位置であっても、位置決め部材により正確に位置決めされるので、固定部材を正確な位置に容易に取り付けることができる。
【０００８】
したがって、本発明の便器固定具は、便器の固定作業を容易に行うことができる。
【０００９】
なお、「下向きの固定面」とは、斜め下向きの面等、傾斜する面であってもよい。
【００１０】
本発明の便器の固定方法は、便器本体の底部に設けられた下向きの固定面に固定部材を取り付ける第１工程と、
前記便器本体を床の上面又は床側の部材に載置することにより前記固定部材を前記床の上面又は前記床側の部材に接触させて前記便器本体を前記床に対して固定する第２工程と、
を含むことを特徴とする。
【００１１】
この便器の固定方法では、便器本体の底部に設けられた下向きの固定面に固定部材を取り付ける。その後、便器本体を床の上面又は床側の部材に載置することで、固定部材を床の上面又は床側の部材に接触させ、固定部材を床の上面又は床側の部材に接着させることにより、便器が床に対して固定される。このように、固定部材を便器本体に取り付けたのちに便器本体を床側に載置するので、便器と床との固定が容易である。
【００１２】
したがって、本発明の便器の固定方法は、便器の固定作業を容易に行うことができる。
【００１３】
また、本発明の他の便器の固定方法は、上記便器固定具により、便器本体の底部に設けられた下向きの固定面に前記固定部材を取り付ける第１工程と、
前記便器本体を床の上面又は床側の部材に載置することにより前記固定部材を前記床の上面又は前記床側の部材に接触させて前記便器本体を前記床に対して固定する第２工程と、
を含むことを特徴とする。
【００１４】
この便器の固定方法では、便器本体の底部に設けられた下向きの固定面に、上記便器固定具により固定部材を取り付ける。その後、便器本体を床の上面又は床側の部材に載置することで、固定部材を床の上面又は床側の部材に接触させ、固定部材を床の上面又は床側の部材に接着させることにより、便器が床に対して固定される。このように、上記便器固定具により固定部材を取り付けるので、固定部材を容易に取り付けることができる。そして、固定部材を便器本体に取り付けたのちに便器本体を床側に載置するので、便器と床との固定が容易である。
【００１５】
したがって、本発明の便器の固定方法は、便器の固定作業を容易に行うことができる。
【００１６】
本発明の便器は、底部に下向きの固定面が設けられた便器本体と、
上面が前記固定面に取り付けられており、下面を床の上面又は床側の部材に接触させることにより前記便器本体を前記床に対して固定する固定部材と、
を備えることを特徴とする。
【００１７】
この便器は、便器本体の下向きに設けられた固定面に固定部材が取り付けられている。そして、固定部材は、下面を床の上面又は床側の部材に接触させることで、便器本体を床に対して固定する。このように、便器本体を床の上面又は床側の部材に載置するという簡易な作業で、便器を容易に固定することができる。
【００１８】
したがって、本発明の便器は、固定作業を容易に行うことができる。
【図面の簡単な説明】
【００１９】
【図１】実施例１に係る便器を示す側面図である。
【図２】実施例１に係る便器を示す底面図である。
【図３】実施例１に係る便器を示す要部拡大断面図である。
【図４】実施例１に係る便器固定具を示す斜視図であり、位置決め部材により固定部材を梱包した状態を示す。
【図５】実施例１に係る便器固定具を示す斜視図であり、固定部材取り付け時の状態を示す。
【図６】実施例１に係る位置決め部材を展開した状態を示す平面図である。
【図７】実施例１に係る便器固定具による固定部材の便器本体への取り付けを説明するための図（その１）である。
【図８】実施例１に係る便器固定具による固定部材の便器本体への取り付けを説明するための図（その２）である。
【図９】実施例１に係る便器固定具による固定部材の便器本体への取り付けを説明するための図（その３）である。
【図１０】実施例１に係る便器固定具による固定部材の便器本体への取り付けを説明するための図（その４）である。
【図１１】実施例１に係る便器固定具による固定部材の便器本体への取り付けを説明するための図（その５）である。
【図１２】実施例１に係る便器の固定方法を説明するための図（その１）である。
【図１３】実施例１に係る便器の固定方法を説明するための図（その２）である。
【発明を実施するための形態】
【００２０】
本発明における好ましい実施の形態を説明する。
【００２１】
本発明の便器固定具において、前記位置決め部材は、前記固定部材の前記固定面の前後方向に対しての位置決めをするための前後位置決め部を有し得る。そして、前記前後位置決め部は、前記固定部材の前記固定面への取り付け時には、前記固定部材の背面側から前記固定部材の高さよりも高い位置まで立ち上がり、前記固定面の後方で立ち上がる内壁面に当接することで前後方向の位置決めを可能とし得る。この場合、固定面に隣接する部位である内壁面を基準に位置決めを行うので、精度良く位置決めを行うことができる。
【００２２】
本発明の便器固定具において、前記位置決め部材は、前記固定部材の前記固定面の左右方向に対しての位置決めをするための左右位置決め部を有し得る。そして、前記左右位置決め部は、前記固定部材の前記固定面への取り付け時には、前記便器本体の前面の所定位置を基準にして左右方向の位置決めを可能とし得る。この場合、固定面の近傍の部位である便器本体前面を基準に位置決めを行うので、精度良く位置決めを行うことができる。
【００２３】
本発明の便器固定具において、前記固定部材は複数備えられており、前記固定面に取り付けられたときの位置関係と同じ位置関係で前記位置決め部材に保持され得る。この場合、複数の固定部材を同時に位置決めして取り付けることができ、固定部材をより容易に取り付けることができる。
【００２４】
本発明の便器固定具において、前記位置決め部材は、前記固定部材の梱包材であり得る。この場合、位置決め部材を別途設ける場合と比較して、コスト面で有利である。
【００２５】
本発明の便器において、前記固定部材は複数設けられており、各前記固定部材は、前記固定面の左右方向に離隔して取り付けられ得る。この場合、排泥孔等の固定部材の取り付けに不適な部位を好適に回避して取り付けることができる。また、左右方向への荷重を好適に受けることができ、便器の左右方向への傾きを抑制することができる。
【００２６】
本発明の便器において、前記固定面は前記便器本体の底部の前端部に設けられ、前記便器本体の周壁部の内側面から後方に延びて形成され得る。この場合、固定面が便器本体の底部の前端部に設けられているので、便器本体の前方から固定部材を取り付けることができる。これにより、固定部材の取り付け作業を容易に行うことができる。
【００２７】
次に、本発明の便器固定具、便器の固定方法、及び便器を具体化した実施例１について、図面を参照しつつ説明する。なお、以下の説明において、前後方向、左右方向、上下方向とは、便器に着座した状態の使用者から見た前後方向、左右方向、上下方向を夫々示すものとする。
【００２８】
＜実施例１＞
（便器）
実施例１に係る便器１は、床Ｆに対して固定される便器である。便器１は、便器本体１０及び一対の固定部材２０を備えている。便器本体１０は陶器製であり、泥漿鋳込み成形法により形成されている。便器本体１０は、図１〜図３に示すように、固定面部１１と、周壁部１２と、内壁部１３とを有している。固定面部１１は、便器本体１０の底部１０Ａの前端部に設けられている。固定面部１１は、便器本体１０の外周の周壁部１２の内側面から後方に略水平に延びて形成されており、この固定面部１１の下面は固定面１１Ａとされている。固定面部１１は、固定面１１Ａが周壁部１２の下端から高さＨの位置に設けられている。固定面部１１は、その前端縁が周壁部１２に沿った略円弧状に形成されているとともに、その後端縁が周壁部１２の内壁面を左右方向に短絡して結ぶ略直線状に形成されており、全体として、底面視略半月状に形成されている。内壁部１３は、固定面部１１の後端縁から連続して上方に立ち上がって設けられている。
【００２９】
固定面部１１には排泥孔１１Ｂが形成されている。排泥孔１１Ｂは、便器本体１０を鋳込み成形する際に必要な孔であり、鋳込み型の周壁部１２を形成する壁面と、内壁部１３を形成する壁面との間に泥漿を充填し、所望の肉厚を壁面に着肉させたのちの余剰泥漿を排出するために設けられている。周壁部１２と内壁部１３との間には、余剰泥漿が排出されたことによる空間Ｒが形成される。空間Ｒは、成形時のヒケの抑制や製品における断熱、軽量化に寄与する。図１〜図３に示すように、製品としての便器本体１０においては、排泥孔１１Ｂは、封止材Ｓにより封止されている。そして、封止材Ｓにより排泥孔１１Ｂが封止材Ｓは、排泥孔１１Ｂの端縁周縁に亘って塗り固められており、固定面１１Ａの表面よりも下方に隆起している。本実施例では、固定面１１Ａのうち、排泥孔１１Ｂを避けた左右両側方の平坦な部分に固定部材２０が取り付けられる。
【００３０】
固定部材２０は、図２に示すように、排泥孔１１Ｂの左右の側方の固定面１１Ａに１つずつ取り付けられている。固定部材２０は軟質な粘着材である。本実施例においては、固定部材２０はブチルゴム製である。固定部材２０は、上下に僅かに扁平なサイコロ状に形成されている。すなわち、固定部材２０は、便器本体１０への取り付け面となる上面２０Ａ、及び床Ｆの上面に接触する下面２０Ｂが、背面２０Ｃなどの他の面よりも少し大きな面積を有している。また、固定部材２０の高さｈは、上述の周壁部１２の下端から固定面１１Ａまでの高さＨよりも大きく設定されている。このため、固定部材２０は、図１及び図３に示すように、便器本体１０に取り付けられた状態において、便器本体１０の下端よりも下方に突出している。
【００３１】
（便器固定具）
実施例１に係る便器固定具３０は、図４及び図５に示すように、便器本体１０に取り付けられる前の状態の上述の２つの固定部材２０と、位置決め部材４０とを備えている。位置決め部材４０は、便器本体１０の所定位置を基準にして、固定面部１１の固定面１１Ａに対して、固定部材２０の取り付け位置を位置決めする。本実施例において、位置決め部材４０は段ボール製で、固定部材２０の梱包材である。便器固定具３０は、固定部材２０を梱包した状態において位置決め部材４０が折り曲げられており、全体として横長の直方体形状をなしている。
【００３２】
図６に示すように、位置決め部材４０は、第１上面部４０Ａ、背面部４０Ｂ、下面部４０Ｃ、前面部４０Ｄ、第２上面部４０Ｅ、及び側面部４０Ｆを有している。第１上面部４０Ａ、背面部４０Ｂ、下面部４０Ｃ及び前面部４０Ｄは、固定部材２０の梱包状態において、２つの固定部材２０の上面２０Ａ、背面２０Ｃ、下面２０Ｂ及び前面を夫々覆う。第２上面部４０Ｅは、固定部材２０の梱包状態において、２つの固定部材２０の上面を第１上面部４０Ａに重ねられた状態で覆う。側面部４０Ｆは、２つの固定部材２０の側面を覆う。なお、位置決め部材４０の固定部材２０との当接面には、シリコーン樹脂の剥離層が形成されている。
【００３３】
図４〜図６に示すように、位置決め部材４０は、前後位置決め部４１、左右位置決め部４２、及び固定部材保持部４３を有している。前後位置決め部４１は、固定部材２０の固定面１１Ａの前後方向に対しての位置決めをする。図５に示すように、前後位置決め部４１は、固定部材２０の固定面１１Ａへの取り付け時には、固定部材２０の背面２０Ｃから固定部材２０の高さｈよりも高い位置まで立ち上がっている。そして、この状態で、固定面１１Ａの後端部から立ち上がる便器本体１０の内壁部１３の壁面に当接することで、前後方向の位置決めを行う。すなわち、本実施例において、位置決め部材４０は、前後位置決め部４１により、固定面１１Ａの後端部から立ち上がる内壁部１３を基準にして、固定面１１Ａの前後方向に対しての位置決めをする。なお、前後位置決め部４１は、固定部材２０を梱包した状態では、固定部材２０の上面２０Ａを覆うように折り曲げられており、上述の第１上面部４０Ａに相当する。
【００３４】
左右位置決め部４２は、固定部材２０の固定面１１Ａの左右方向に対しての位置決めをする。左右位置決め部４２は、固定部材２０の固定面１１Ａへの取り付け時には、便器本体１０の前面の所定位置を基準にして、左右方向の位置決めを行う。具体的には、便器本体１０の周壁部１２の左右方向の中心位置に線や点などの目印を設けることにより、この目印を基準にして、左右方向の位置決めを行う。図５に示すように、本実施例において、左右位置決め部４２には、Ｖ字形状の切欠き４２Ａが形成されており、この切欠き４２Ａを周壁部１２側に設けた目印に合わせることで位置決めを行う。すなわち、本実施例において、位置決め部材４０は、左右位置決め部４２により、便器本体１０前面の周壁部１２に形成した目印を基準にして、固定面１１Ａの左右方向に対しての位置決めをする。なお、左右位置決め部４２は、固定部材２０を梱包した状態では、前後位置決め部４１と同様に固定部材２０の上面２０Ａを覆うように折り曲げられ、前後位置決め部４１に重ねられており、上述の第２上面部４０Ｅに相当する。
【００３５】
固定部材保持部４３は、固定部材２０の左右方向の側面下部に当接して、固定面１１Ａに取り付けられたときの間隔と同じ間隔で固定部材２０を保持する。換言すると、固定部材２０は、固定部材保持部４３により、固定面１１Ａに取り付けられたときの間隔と同じ間隔で保持されている。固定部材保持部４３は、固定部材２０の高さｈよりも低い高さで上方に立ち上げられて固定部材２０の左右方向の側面に当接している。なお、固定部材保持部４３は、固定部材２０の梱包時において、固定部材２０の下面２０Ｂを覆う下面部４０Ｃを折り曲げて形成された部分と、固定部材２０の梱包時において、固定部材２０の左右方向の側面を覆う側面部４０Ｆに相当する部分と、を有して構成されている。
【００３６】
（便器の固定方法）
次に、便器の固定方法について説明する。実施例１に係る便器の固定方法では、上述の便器固定具３０により固定部材２０を便器本体１０に取り付け、その後、便器本体１０を床Ｆの上面に載置して便器１を固定する。便器１を固定するにあたっては、便器本体１０に固定部材２０を取り付ける。具体的には、便器固定具３０は、図４に示すように、固定部材２０が位置決め部材４０により梱包された状態とされているので、便器固定具３０を開梱して位置決め部材４０を図５に示す状態に展開する。このとき、固定部材２０は、固定部材保持部４３により、固定面１１Ａに取り付けられたときの位置関係と同じ位置関係で保持されており、開梱後の位置合わせ等は不要である。また、固定部材保持部４３には、図７に示すように、梱包時に固定部材２０の側面上部を保護する保護片４３Ａが連結されているのでこれを切り離す。
【００３７】
また、便器１については、図８に示すように、便器本体１０を便器施工サポート材５０の上部に予め配置しておく。便器施工サポート材５０は、間隔を空けて配された複数の直方体状のブロックの下部を連結したような形態で形成されている（図８参照）。この便器施工サポート材５０により、固定面部１１の下方に空間が配されるように、便器本体１０を便器施工サポート材５０上に載置する。これにより、便器１の姿勢を変更することなく、固定部材２０の取り付け作業を行うことができる。本実施例では、便器施工サポート材５０は、便器１の梱包に用いられた緩衝材を利用している。
【００３８】
最初に、固定部材２０の便器本体１０への取り付け（第１工程）について説明する。まず、便器本体１０の前方から便器固定具３０を差し入れて固定部材２０を固定面１１Ａの下方に配置する。そして、図９に示すように、便器本体１０の内壁部１３の壁面に前後位置決め部４１を当接させる。これにより、固定部材２０の固定面１１Ａの前後方向に対しての位置決めがなされる。
【００３９】
このようにして前後方向に位置決めした状態を保持しつつ、今度は、固定部材２０の左右方向の位置決めを行う。具体的には、図１０に示すように、左右位置決め部４２を便器本体１０の前面に当接させ、左右位置決め部４２のＶ字状の切欠き４２Ａを便器本体１０の前面に貼り付けた目印Ｍに合わせる。本実施例の場合、固定部材２０の固定面１１Ａの左右方向に対しての位置決めにあたり、便器本体１０の周壁部１２に予め目印Ｍを貼り付け、これを基準にして左右の位置決めをする。目印Ｍは、便器本体１０の左右方向の略中央に合わせて貼り付けられている。
【００４０】
そして、図１１に示すように、前後位置決め部４１を便器本体１０の内壁部１３の壁面に沿わせつつ位置決め部材４０を上方に持ち上げる。これにより、固定部材２０は、その上面２０Ａが固定面１１Ａに当接して接着され、固定面１１Ａに取り付けられる。このとき、固定部材２０は、位置決め部材４０の固定部材保持部４３によって固定面１１Ａに取り付けられたときの間隔と同じ間隔で保持されているので、排泥孔１１Ｂを封止する封止材Ｓを挟んだ両側方に好適に取り付けられる。また、固定部材２０が固定面１１Ａに取り付けられた状態において、固定部材２０は、固定部材２０の高さｈが、便器本体１０の周壁部１２の下端から固定面１１Ａまでの高さＨよりも大きく設定されていることにより、便器本体１０の下端よりも下方に突出している（図１及び図３参照）。
【００４１】
次に、便器本体１０の床Ｆに対しての固定（第２工程）について説明する。図１２に示すように、最初に、便器１を持ち上げて便器施工サポート材５０を外す。そして、排水管Ｄに合わせて便器１を降下させ、便器本体１０の下端を床Ｆの上面に接触させる。このとき、固定部材２０は、便器本体１０の周壁部１２の下端よりも下方に突出していたことにより、図１３に示すように、固定面１１Ａと床Ｆの上面との間で挟まれて圧縮変形し、固定面１１Ａと床Ｆの上面との夫々に密着する。これにより、便器本体１０が床Ｆに対して強固に固定される。
なお、便器１は、上述した固定部材２０の他に、便器本体１０の側部を固定する一対の側部固定部材２１によっても固定されている。図１２に示すように、側部固定部材２１は、正面視略Ｌ字状に形成されており、便器本体１０の側方からねじ止めされる。
【００４２】
次に、上記のように構成された実施例１の便器１及び便器固定具３０の作用効果について説明する。
【００４３】
実施例１の便器固定具３０は、固定部材２０及び位置決め部材４０を備えている。固定部材２０は、便器本体１０の底部１０Ａに設けられた下向きの固定面１１Ａに取り付けられる。位置決め部材４０は、便器本体１０の所定位置としての固定面１１Ａ後端から立ち上がる内壁部１３を基準にして、固定面１１Ａに対しての固定部材２０の取り付け位置を位置決めする。
【００４４】
このように、便器固定具３０は、固定部材２０を便器本体１０の固定面１１Ａに取り付けるに際して、便器本体１０側に基準位置を設け、これに基づいて、位置決め部材４０によって位置決めする。このため、便器本体の固定面と床側に設置された部材上の固定部材とを位置決めをする場合と比較して位置合わせが容易であるので、容易に取り付けることができる。また、便器本体１０の底部１０Ａの下向きの固定面１１Ａという視認困難な位置であっても、位置決め部材４０により正確に位置決めされるので、固定部材２０を正確な位置に容易に取り付けることができる。
【００４５】
したがって、便器固定具３０は、便器１の固定作業を容易に行うことができる。
【００４６】
また、実施例１では、位置決め部材４０は、固定部材２０の固定面１１Ａの前後方向に対しての位置決めをするための前後位置決め部４１を有している。そして、前後位置決め部４１は、固定部材２０の固定面１１Ａへの取り付け時には、固定部材２０の背面２０Ｃ側から固定部材２０の高さｈよりも高い位置まで立ち上がり、固定面１１Ａの後方から立ち上がる内壁部１３の壁面に当接することで前後方向の位置決めを可能とする。このように、固定面１１Ａに隣接する部位である便器本体１０の内壁部１３を基準に位置決めを行うので、精度良く位置決めを行うことができる。
【００４７】
また、実施例１では、位置決め部材４０は、固定部材２０の固定面１１Ａの左右方向に対しての位置決めをするための左右位置決め部４２を有している。そして、左右位置決め部４２は、固定部材２０の固定面１１Ａへの取り付け時には、便器本体１０の前面の所定位置として、周壁部１２に貼り付けた目印Ｍを基準にして左右方向の位置決めを可能とする。このように、固定面１１Ａの近傍の部位である便器本体１０前面の周壁部１２に目印Ｍを設け、これを基準に位置決めを行うので、精度良く位置決めを行うことができる。
【００４８】
また、実施例１の便器固定具３０において、固定部材２０は２つ備えられており、固定面１１Ａに取り付けられたときの位置関係と同じ位置関係で位置決め部材４０に保持されている。このため、２つの固定部材２０を同時に位置決めして取り付けることができ、固定部材２０の取り付け作業をより容易に行うことができる。
【００４９】
また、実施例１の便器固定具３０において、位置決め部材４０は、固定部材２０の梱包材である。このため、位置決め部材を別途設ける場合と比較して、コスト面で有利である。
【００５０】
実施例１の便器１は、底部１０Ａに下向きの固定面１１Ａが設けられた便器本体１０と、上面２０Ａが固定面１１Ａに取り付けられており、下面２０Ｂを床Ｆの上面に接触させることにより便器本体１０を床Ｆに対して固定する固定部材２０と、を備えている。
【００５１】
この便器１は、便器本体１０の下向きに設けられた固定面１１Ａに固定部材２０が取り付けられている。そして、固定部材２０は、その下面２０Ｂを床Ｆの上面に接触させることで便器本体１０を床Ｆに対して固定する。このように、便器１は、便器本体１０を床Ｆの上面に載置するという簡易な作業で、容易に固定することができる。
【００５２】
また、実施例１の便器１において、固定部材２０は２つ設けられており、各固定部材２０は、固定面１１Ａの左右方向に離隔して取り付けられている。このため、排泥孔等の固定部材の取り付けに不適な部位を好適に回避して取り付けることができる。また、左右方向への荷重を好適に受けることができ、便器の左右方向への傾きを抑制することができる。
【００５３】
また、実施例１の便器１において、固定面１１Ａは便器本体１０の底部１０Ａの前端部に設けられ、便器本体１０の周壁部１２の内側面から後方に延びて形成されている。このため、便器本体１０の前方から固定部材２０を取り付けることができる。これにより、固定部材２０の取り付け作業を容易に行うことができる。
【００５４】
実施例１の便器１の固定方法は、便器本体１０の底部１０Ａに設けられた下向きの固定面１１Ａに固定部材２０を取り付ける工程（第１工程）と、
便器本体１０を床Ｆの上面に載置することにより固定部材２０を床Ｆの上面に接触させて便器本体１０を床Ｆに対して固定する工程（第２工程）と、
を含む。
【００５５】
この便器１の固定方法では、便器本体１０の底部１０Ａに設けられた下向きの固定面１１Ａに固定部材２０を取り付ける。その後、便器本体１０を床Ｆの上面に載置することで固定部材２０を床Ｆの上面に接触させ、固定部材２０を床Ｆの上面に接着させることにより、便器１が床Ｆに対して固定される。このように、固定部材２０を便器本体１０に取り付けたのちに便器本体１０を床Ｆに載置するので、便器１と床Ｆとの固定が容易である。したがって、便器の固定作業を容易に行うことができる。
【００５６】
＜他の実施形態＞
本発明は上記記述及び図面によって説明した実施例に限定されるものではなく、例えば次のような実施例も本発明の技術的範囲に含まれる。
（１）上記実施例では、固定部材の材質としてブチルゴムを用いる形態を例示したが、これに限定されない。固定部材としては、ブチルゴムやゴムアスファルトなどの軟質な粘着材や、これらの軟質な粘着材の層を基材の表面に形成したものなどであることができる。
（２）上記実施例では、固定部材が床の上面に直接接触する形態を例示したが、例えば、固定部材が、床の上面に設けられた板材やシート材等、床側に設けられた他の部材に接触する形態であってもよい。また、便器は、固定部材が床の上面に設けられた板材やシート材等の他の部材を介して、床に対して取り付けられる形態であってもよい。
（３）上記実施例では、２つの固定部材を備える形態を例示したが、１又は３以上の固定部材を備える形態であってもよい。
（４）上記実施例では、位置決め部材として、固定部材の梱包材が位置決め部材である形態を例示したが、位置決め部材を梱包材とは別に設けてもよい。この場合、シート状の材料を折り曲げて取り付け時の形状に形成してもよいし、予め取り付け時の形状に形成されていてもよい。
（５）上記実施例では、位置決め部材を段ボールにより形成する形態を例示したが、位置決め部材の材質は特に限定されない。
（６）上記実施例では、便器施工サポート材として、便器の梱包に用いられた緩衝材を利用したが、これに限定されず、例えば、板材を組み合わせることや、段ボールを組み合わせることや、樹脂や木材や金属などで別途形成されたものであってもよい。便器施工サポート材は、固定面部の下方に空間を形成し得るものであればよい。
（７）上記実施例では、前後位置決め部は、固定面後方の便器本体の内壁部の壁面に当接することで前後方向の位置決めを可能としたが、これに限定されず、例えば、便器本体の他の内壁面や周壁部の壁面など、他の壁面に当接することで前後方向の位置決めを可能とする形態であってもよい。
【符号の説明】
【００５７】
１…便器
１０…便器本体
１０Ａ…底部
１１…固定面部
１１Ａ…固定面
１１Ｂ…排泥孔
１２…周壁部
１３…内壁部
２０…固定部材
２０Ａ…固定部材の上面
２０Ｂ…固定部材の下面
２０Ｃ…固定部材の背面
２１…側部固定部材
３０…便器固定具
４０…位置決め部材
４０Ａ…第１上面部
４０Ｂ…背面部
４０Ｃ…下面部
４０Ｄ…前面部
４０Ｅ…第２上面部
４０Ｆ…側面部
４１…前後位置決め部
４２…左右位置決め部
４３…固定部材保持部
４３Ａ…保護片
５０…便器施工サポート材
Ｄ…排水管
Ｆ…床
Ｍ…目印
Ｒ…空間
Ｓ…封止材
【図１】
2018076691.tif 000003
【図２】
2018076691.tif 000004
【図３】
2018076691.tif 000005
【図４】
2018076691.tif 000006
【図５】
2018076691.tif 000007
【図６】
2018076691.tif 000008
【図７】
2018076691.tif 000009
【図８】
2018076691.tif 000010
【図９】
2018076691.tif 000011
【図１０】
2018076691.tif 000012
【図１１】
2018076691.tif 000013
【図１２】
2018076691.tif 000014
【図１３】
2018076691.tif 000015